(57)【要約】【課題】簡単かつ直感的に通信宛先の誤入力を検知し、これによって誤送信を防止することができる通信端末装置を提供する。【解決手段】音色設定受付部２１１、音量設定受付部２１２が、ワンタッチキー１４１のそれぞれについて、キー操作された際に発生される操作音の音色と音量との設定をユーザより受け付ける。受け付けられた設定情報はアドレステーブル管理部２４において当該ワンタッチキーのキー番号と関連付けて格納される。ワンタッチキー１４１いずれかが操作された際に、操作音発生部２２が当該ワンタッチキーに対して設定された音色の操作音を設定された音量で発生する。【選択図】図１
2007208787.tif 000002
【特許請求の範囲】
【請求項１】
複数個の所定キーのそれぞれに対して通信宛先の一部または全部の登録を受け付ける通信宛先登録受付手段と、
前記複数個の所定キーの少なくとも一部について相互に異なる操作音を割り当てて設定可能なキー操作音設定手段と、
ユーザによる通信宛先の指定にあたって、前記複数個の所定キーから選択された被操作キーの操作が行われた際に、当該被操作キーに割り当てられた操作音を発生させる操作音発生手段と、
を備えることを特徴とする通信端末装置。
【請求項２】
請求項１に記載の通信端末装置において、
前記異なる操作音のそれぞれは、
あらかじめ準備されてメニュー表示される複数の操作音から選択されることを特徴とする通信端末装置。
【請求項３】
請求項２に記載の通信端末装置において、
前記メニュー表示された前記複数の操作音からユーザによって仮選択された操作音をサンプルとして音響出力させるサンプル出力化手段、
をさらに備えることを特徴とする通信端末装置。
【請求項４】
請求項１から３のいずれかに記載の通信端末装置において、
前記複数の操作音が、異なる音色の操作音を含むことを特徴とする通信端末装置。
【請求項５】
請求項１から４のいずれかに記載の通信端末装置において、
前記複数の操作音が、異なる音量の操作音を含むことを特徴とする通信端末装置。
【請求項６】
請求項１から５のいずれかに記載の通信端末装置において、
前記複数個の所定キーがワンタッチキーを含むことを特徴とする通信端末装置。
【請求項７】
登録対象とされた複数の通信宛先の少なくとも一部について相互に異なる入力音を割り当てて設定可能な入力音設定手段と、
ユーザによって入力された通信宛先が前記複数の通信宛先のいずれかに該当するときには、該当する通信宛先に割り当てられた入力音を発生させる入力音発生手段と、
を備えることを特徴とする通信端末装置。
【請求項８】
請求項７に記載の通信端末装置において、
前記異なる入力音のそれぞれは、
あらかじめ準備されてメニュー表示される複数の入力音から選択されることを特徴とする通信端末装置。
【請求項９】
請求項８に記載の通信端末装置において、
前記メニュー表示された前記複数の入力音からユーザによって仮選択された入力音をサンプルとして音響出力させるサンプル出力化手段、
をさらに備えることを特徴とする通信端末装置。
【請求項１０】
請求項７から９のいずれかに記載の通信端末装置において、
前記複数の入力音が、異なる音色の入力音を含むことを特徴とする通信端末装置。
【請求項１１】
請求項７から１０のいずれかに記載の通信端末装置において、
前記複数の入力音が、異なる音量の入力音を含むことを特徴とする通信端末装置。
【請求項１２】
請求項７から１１のいずれかに記載の通信端末装置において、
複数個の所定キーのそれぞれに対して通信宛先の一部または全部の登録を受け付ける通信宛先登録受付手段、
をさらに備え、
前記入力音発生手段が、
前記複数の所定キーの選択的操作によってユーザが入力した通信宛先が前記複数の通信宛先のいずれかに該当するときに、該当する通信宛先に割り当てられた入力音を発生させることを特徴とする通信端末装置。
【発明の詳細な説明】
【技術分野】
【０００１】
この発明は、誤送信を防止する機能を有する通信端末装置に関する。
【背景技術】
【０００２】
従来より、誤送信を防止するための各種の機能を備える通信端末装置が提案されている。例えば、通信相手装置から受信したＣＳＩ信号等の情報を音声出力することによって、通信先が所望の通信端末装置であることに間違いがないかをユーザに確認させる技術が提案されている（特許文献１参照）。
【０００３】
また、ユーザがダイヤル番号を入力した際に、入力された一連の番号を読み上げることによって、ユーザにダイヤル番号を誤操作なく入力しているかを確認させる技術も提案されている（特許文献２参照）。
【０００４】
【特許文献１】特開２００３−３３３２９４号公報
【特許文献２】特開平４−１４２８５８号公報
【発明の開示】
【発明が解決しようとする課題】
【０００５】
上記の各技術においても誤送信の防止に資することが可能であるが、これら各技術においては、ユーザが、装置から発される音声情報に注意深く耳を傾け、意識的に確認を行わなければならなかった。そこで、より簡単かつ直感的に通信宛先の誤入力を検知可能な技術が望まれていた。
【０００６】
この発明は、このような事情に鑑みてなされたものであって、簡単かつ直感的に通信宛先の誤入力を検知し、これによって誤送信を防止することができる通信端末装置を提供することを目的としている。
【課題を解決するための手段】
【０００７】
請求項１の発明は、複数個の所定キーのそれぞれに対して通信宛先の一部または全部の登録を受け付ける通信宛先登録受付手段と、前記複数個の所定キーの少なくとも一部について相互に異なる操作音を割り当てて設定可能なキー操作音設定手段と、ユーザによる通信宛先の指定にあたって、前記複数個の所定キーから選択された被操作キーの操作が行われた際に、当該被操作キーに割り当てられた操作音を発生させる操作音発生手段と、を備える。
【０００８】
請求項２の発明は、請求項１に記載の通信端末装置において、前記異なる操作音のそれぞれは、あらかじめ準備されてメニュー表示される複数の操作音から選択される。
【０００９】
請求項３の発明は、請求項２に記載の通信端末装置において、前記メニュー表示された前記複数の操作音からユーザによって仮選択された操作音をサンプルとして音響出力させるサンプル出力化手段、をさらに備える。
【００１０】
請求項４の発明は、請求項１から３のいずれかに記載の通信端末装置において、前記複数の操作音が、異なる音色の操作音を含む。
【００１１】
請求項５の発明は、請求項１から４のいずれかに記載の通信端末装置において、前記複数の操作音が、異なる音量の操作音を含む。
【００１２】
請求項６の発明は、請求項１から５のいずれかに記載の通信端末装置において、前記複数個の所定キーがワンタッチキーを含む。
【００１３】
請求項７の発明は、登録対象とされた複数の通信宛先の少なくとも一部について相互に異なる入力音を割り当てて設定可能な入力音設定手段と、ユーザによって入力された通信宛先が前記複数の通信宛先のいずれかに該当するときには、該当する通信宛先に割り当てられた入力音を発生させる入力音発生手段と、を備える。
【００１４】
請求項８の発明は、請求項７に記載の通信端末装置において、前記異なる入力音のそれぞれは、あらかじめ準備されてメニュー表示される複数の入力音から選択される。
【００１５】
請求項９の発明は、請求項８に記載の通信端末装置において、前記メニュー表示された前記複数の入力音からユーザによって仮選択された入力音をサンプルとして音響出力させるサンプル出力化手段、をさらに備える。
【００１６】
請求項１０の発明は、請求項７から９のいずれかに記載の通信端末装置において、前記複数の入力音が、異なる音色の入力音を含む。
【００１７】
請求項１１の発明は、請求項７から１０のいずれかに記載の通信端末装置において、前記複数の入力音が、異なる音量の入力音を含む。
【００１８】
請求項１２の発明は、請求項７から１１のいずれかに記載の通信端末装置において、複数個の所定キーのそれぞれに対して通信宛先の一部または全部の登録を受け付ける通信宛先登録受付手段、をさらに備え、前記入力音発生手段が、前記複数の所定キーの選択的操作によってユーザが入力した通信宛先が前記複数の通信宛先のいずれかに該当するときに、該当する通信宛先に割り当てられた入力音を発生させる。
【発明の効果】
【００１９】
請求項１〜６に記載の発明によれば、通信宛先の一部または全部が登録された複数個の所定キーから選択された被操作キーの操作が行われた際に、当該被操作キーに割り当てられた操作音が発生される。つまり、ユーザが所望とは異なるキーを誤って操作した場合であっても、操作音に違和感を感じることによって、当該誤った入力操作を簡単かつ直感的に検知することができる。これによって、誤送信を防止することができる。
【００２０】
特に、請求項３に記載の発明によれば、ユーザによって仮選択された操作音がサンプルとして音響出力される。これによって、ユーザは、所望の操作音を聴覚で実際に確認しつつ選択することが可能になる。
【００２１】
特に、請求項４に記載の発明によれば、複数の操作音が、異なる音色の操作音を含む。これによって、各操作音の識別機能が高まり、ユーザはより簡単に誤操作を検知することができる。
【００２２】
特に、請求項５に記載の発明によれば、複数の操作音が、異なる音量の操作音を含む。特定の所定キー（例えば、特に誤操作を避けたい宛先が登録されたキーや、誤って触れやすい位置に配置されたキー）について他の所定キーよりも大きな音量を設定しておくことによって、特定の所定キーについての誤操作を確実に検知することができる。
【００２３】
請求項７〜１２に記載の発明によれば、通信宛先が入力された際に、当該入力された通信宛先に割り当てられた入力音が発生される。つまり、ユーザが所望とは異なる通信宛先を入力した場合であっても、入力音に違和感を感じることによって、当該誤入力を簡単かつ直感的に検知することができる。これによって、誤送信を防止することができる。
【００２４】
特に、請求項９に記載の発明によれば、ユーザによって仮選択された入力音がサンプルとして音響出力される。これによって、ユーザは、所望の入力音を聴覚で実際に確認しつつ選択することが可能になる。
【００２５】
特に、請求項１０に記載の発明によれば、複数の入力音が、異なる音色の入力音を含む。これによって、各入力音の識別機能が高まり、ユーザはより簡単に誤入力を検知することができる。
【００２６】
特に、請求項１１に記載の発明によれば、複数の入力音が、異なる音量の入力音を含む。特定の通信宛先（例えば、特に誤入力を避けたい通信宛先）について他の通信宛先よりも大きな音量を設定しておくことによって、特定の通信宛先についての誤入力を確実に検知することができる。
【発明を実施するための最良の形態】
【００２７】
〔１．第１の実施の形態〕
〈１−１．デジタル複合機〉
図１は、この発明の第１の実施の形態に相当する通信端末装置の機能が組み込まれたデジタル複合機１の構成を示すブロック図である。
【００２８】
図１を参照する。このデジタル複合機１は、ＦＡＸ機能、コピー機能、スキャン機能、プリント機能などの複数の機能を有する複合機（ＭＦＰ装置）として構成されている。
【００２９】
このデジタル複合機１は、制御部１１と、ＲＡＭ１２と、ＲＯＭ１３と、操作部１４と、表示部１５と、画像処理部１６と、画像読取部１７と、画像記録部１８と、画像メモリ１９と、大容量蓄積部２０と、操作音設定管理部２１と、操作音発生部２２と、通信宛先登録管理部２３と、アドレステーブル管理部２４と、通信関係の機能部２５〜２８とを、バスライン２９を介して電気的に接続した構成となっている。
【００３０】
制御部１１は、ＣＰＵで構成されている。制御部１１は、ＲＯＭ１３に記憶されたプログラムに基づいて上記のハードウエア各部を制御し、デジタル複合機１の機能を実現する。
【００３１】
ＲＡＭ１２は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１２はＳＲＡＭやフラッシュメモリなどで構成される。
【００３２】
ＲＯＭ１３は、デジタル複合機１の制御に必要なプログラムやデータを予め格納した読み出し専用の記憶装置である。
【００３３】
操作部１４は、文字キー、テンキー１４６、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。
【００３４】
図２は操作部１４（および表示部１５）の構成例を示す図である。ただし、図２には本実施の形態に特に関連する構成部分のみを表示しており、その他の部分については図示を省略している。
【００３５】
操作部１４は、以下に説明するように、宛先に関する情報が登録可能な各種のキー（以下において「簡略入力キー」と総称する）を有する。なお、以下において、「宛先に関する情報」とは、「宛先名称」や、「通信宛先」等をいう。また、「通信宛先」とは、具体的には、外部通信端末装置のダイヤル番号（ファックス番号や電話番号）、電子メールアドレス等をいう。
【００３６】
操作部１４は、任意の外部通信相手装置の通信宛先を１件登録しておくことができるワンタッチキー１４１を複数個（図２においては１６個）備えている。ワンタッチキー１４１が操作された場合、当該キーに登録された１件の通信宛先が入力され、当該通信宛先に対する通信が実行される。
【００３７】
また、操作部１４は、任意の外部通信相手装置の通信宛先を１件以上登録しておくことができるグループキー１４２を複数個（図２においては７個）備えている。グループキー１４２が操作された場合、当該キーに登録された１件以上の通信宛先が入力され、当該１件以上の通信宛先に対する通信が実行される。ただし、当該キーに複数件の通信宛先が登録されている場合には、同報送信が実行されることになる。
【００３８】
さらに、操作部１４は、短縮キー１４３を備えている。短縮キー１４３を操作した後に、テンキー１４６を操作して任意の短縮番号を入力すると、当該短縮番号として登録された通信宛先に対する通信が実行される。
【００３９】
なお、上記の各キーの他に、簡略入力キーとして、チェーンダイヤルキー（図示省略）を備える構成としてもよい。ただし、チェーンダイヤルキーとは、１個のキーに対して、１件の通信宛先の一部が登録可能なキーである。つまり、任意のチェーンダイヤルキーを複数個選択して操作することによって、各キーに登録された情報の組み合わせによって完成される通信宛先が入力され、当該入力された通信宛先に対する通信が実行される。
【００４０】
なお、各簡略入力キーに対する宛先に関する情報の登録は、通信宛先登録管理部２３において受け付けられる。さらに、受け付けられた登録情報はアドレステーブル管理部２４に格納されるアドレステーブルにおいて管理される。
【００４１】
またさらに、操作部１４は、ファックス送信の実行を指示入力するためのスタートキー１４４を備える。スタートキー１４４が操作されると、ファックス送信処理（すなわち、原稿載置台（図示省略）に載置された原稿を読み込み、通信宛先受付部２２によって受け付けられた通信宛先に発呼して画像データを送信する処理）の実行が開始される。
【００４２】
またさらに、操作部１４は、ファックス送信の実行の中止を指示入力するためのストップキー１４５を備える。ストップキー１４５が操作されると、ファックス送信処理の実行が中止される。
【００４３】
表示部１５は、デジタル複合機１の動作状態や、画像データなどを表示する表示装置である。表示部１５は、液晶ディスプレイなどの表示装置により構成される。なお、操作部１４に設けられる各種のキーは、この表示部１５のディスプレイ画面上に設けたタッチパネルによって実現されてもよい。
【００４４】
画像処理部１６は、受信された画像データや、画像読取部１７から取得した画像データにＡ／Ｄ変換、表色系の変換、色調整、画像の合成などの種々の処理を行う処理部である。
【００４５】
画像読取部１７は、原稿上の画像をＣＣＤラインセンサなどの読取素子によって読み取るスキャナーである。画像読取部１７は、ガラス台上に載置された原稿の表面を読取素子が走査して画像を読み取るタイプのスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナーであってもよい。
【００４６】
画像記録部１８は、画像メモリ１９に格納された画像データなどを記録紙上へ記録するプリンタである。画像記録部１８には、例えば、電子写真方式のプリンタを採用することができる。
【００４７】
画像メモリ１９は、ＬＡＮＩ／Ｆ２７やＮＣＵ２８を通じて外部装置４，５，６から受信した画像データ、画像読取部１７において取得された画像データ、画像処理部１６において処理された画像データなどを、一時的に記憶するための記憶装置である。画像メモリ１９は、読み出しと書き込みとが可能なＤＲＡＭ等のメモリにより構成される。
【００４８】
大容量蓄積部２０は、ハードディスクなどにより構成される。大容量蓄積部２０は、画像読取部１７により処理された画像データを蓄積することができる。
【００４９】
操作音設定管理部２１は、簡略入力キーに対して、操作音を割り当てるための機能部である。ただし、「操作音」とは、キーが押下された際に発生される音である。操作音設定管理部２１は、音色設定受付部２１１と音量設定受付部２１２とを備える。
【００５０】
音色設定受付部２１１は、各簡略入力キーに対して割り当てる操作音の音色の設定を、ユーザより受け付けるための機能部である。なお、ユーザから受け付けられた設定内容はアドレステーブル管理部２４に格納されるアドレステーブルにおいて管理される。
【００５１】
音量設定受付部２１２は、各簡略入力キーに対して割り当てる操作音の音量の設定を、ユーザより受け付けるための機能部である。なお、ユーザから受け付けられた設定内容はアドレステーブル管理部２４に格納されるアドレステーブルにおいて管理される。
【００５２】
操作音発生部２２は、簡略入力キーのいずれかが操作された場合に、当該キーに対して操作音設定管理部２１が割り当てた操作音を所定の音量で発生させるための機能部である。操作音発生部２２は、各種の異なる音色を発生可能音色として有している。各種の異なる音色とは、例えば、アラーム音（例えば、「ピピピ」との音）、犬や猫の鳴き声を模した音、各種のメロディ等である。発生可能な音色の種類はいくつでもよい。さらに、操作音発生部２２は、音色のそれぞれを各段階の音量で発生することができる。
【００５３】
通信宛先登録管理部２３は、簡略入力キーに対する宛先に関する情報の登録をユーザより受け付ける機能部である。なお、ユーザから受け付けられた登録内容はアドレステーブル管理部２４に格納されるアドレステーブルにおいて管理される。
【００５４】
アドレステーブル管理部２４は、簡略入力キーに対して登録された宛先に関する情報と、当該簡略入力キーの操作音の設定情報とを管理するテーブルであるアドレステーブルを生成および管理するための機能部である。なお、この実施の形態においては、各種類の簡略入力キー（ワンタッチキー１４１、グループキー１４２、各短縮番号、さらにチェーンダイヤルキーを備える場合はチェーンダイヤルキー）毎にアドレステーブルが生成される（図３参照）。アドレステーブルの具体的な構成については後に説明する。
【００５５】
さらにこのデジタル複合機１には、通信関係の機能部として、画像データ等を複数のプロトコルに対応して符号化/復号化するコーデック（ＣＯＤＥＣ）２５と、送受信データの変調および復調を行うモデム２６と、ＬＡＮ（ローカルエリアネットワーク）１００とのインターフェイスに相当するＬＡＮＩ／Ｆ２７と、電話回線の開閉制御を行うＮＣＵ２８とが、バスライン２９を介して電気的に接続した構成となっている。
【００５６】
次に、このデジタル複合機１の通信環境について説明する。デジタル複合機１は、ＬＡＮ１００と接続されている。ＬＡＮ１００にはメールサーバ７や外部端末４などが接続されている。また、ＬＡＮ１００は、ルータ８などを介してインターネット２００に接続されている。このような構成によって、デジタル複合機１は、ＬＡＮ１００を介して接続された外部端末４や、インターネット２００を介して接続された外部端末５と電子メール通信などを行うことができる。さらに、デジタル複合機１は、アナログ回線用のデータ通信ネットワークであるＰＳＴＮ（公衆交換電話網）３００と接続されている。これによって、デジタル複合機１はＰＳＴＮ３００を介して接続された外部端末６との通信を行うことができる。外部端末４，５，６は、モデム接続されたパソコン、デジタル複合機１と同様の装置、固定電話、携帯電話、ＦＡＸ専用機、等である。
【００５７】
〈１−２．アドレステーブル〉
次に、通信宛先登録管理部２４に格納されるアドレステーブルについて説明する。図３（ａ）は、ワンタッチキー１４１について生成されたアドレステーブルＡ１の構成例を示す図である。また、図３（ｂ）は、グループキー１４２について生成されたアドレステーブルＡ２の構成例を示す図である。なお、各短縮番号や各チェーンダイヤルキーについて生成されるアドレステーブルは、ワンタッチキー１４１に関するアドレステーブルＡ１と同様の構成を有している。ただし、チェーンダイヤルキーについて生成されるアドレステーブルは、チェーンダイヤルキーのそれぞれについて通信宛先の一部が登録される点がアドレステーブルＡ１と相違している。
【００５８】
アドレステーブルＡ１においては、通信宛先登録管理部２３によって受け付けられた各ワンタッチキー１４１に登録する宛先に関する情報（「宛先名称」と「通信宛先」）を、各ワンタッチキー１４１のキー番号の下に格納している。さらに、音色設定受付部２１１および音量設定受付部２１２によって受け付けられた各ワンタッチキー１４１に対する操作音の設定情報（操作音の「音色」および「音量」の設定情報）を、各ワンタッチキー１４１のキー番号の下に格納している。アドレステーブルＡ２についても同様である。
【００５９】
図３（ａ）に例示するアドレステーブルＡ１が構成されている場合、ユーザは、キー番号が「０１」のワンタッチキー１４１を操作することによって、「Ａ会社」の名称とともに登録された通信宛先（すなわち、ダイヤル番号「０７５−×××−××××」）を入力し、当該通信宛先に対して通信を実行することができる。同様に、キー番号が「０１」のグループキー１４２を操作することによって、「グループＡ」の名称とともに登録された３件のダイヤル番号を入力し、当該通信宛先に対して同報通信を実行することができる。
【００６０】
また、ユーザが、キー番号が「０１」のワンタッチキー１４１を操作すると、操作音発生部２２が「音色Ｃ」（例えば犬の鳴き声を模した音）を「音量２」で発生する。同様に、ユーザが、キー番号が「０１」のグループキー１４２を操作すると、操作音発生部２２が「音色Ａ」（例えばアラーム音）を「音量３」で発生する。
【００６１】
〈１−３．登録処理〉
次に、ワンタッチキー１４１に対する宛先に関する情報および操作音の設定情報の登録処理を図４のフローチャートを参照しながら説明する。ただし、特に記載のない場合、以下の動作は制御部１１の制御下で自動に行われる。
【００６２】
ユーザが初期設定画面等より、ワンタッチキー１４１に対する情報登録を開始指示を入力すると、以下の登録処理が行われる。
【００６３】
はじめに、ワンタッチキー１４１のキー番号の選択を受け付ける（ステップＳ１）。より具体的には、表示部１５にユーザにキー番号の選択を促すための所定のメッセージ（「キー番号を選択してください」とのメッセージ）を表示する。ユーザが所望のキー番号を選択したと判断されると、ステップＳ２に進む。
【００６４】
ステップＳ２では、通信宛先の入力を受け付ける。より具体的には、表示部１５にユーザに登録を所望するダイヤル番号（もしくは電子メールアドレス）の入力を促すための所定のメッセージ（「登録するダイヤル番号もしくは電子メールアドレスを入力してください」とのメッセージ）を表示する。
【００６５】
ユーザがテンキー１４６等より、所望のダイヤル番号もしくは電子メールアドレスを入力操作したと判断されると、当該入力された情報が、通信宛先登録管理部２３によって受け付けられ、アドレステーブルＡ１において、ステップＳ１で選択されたキー番号の下に格納される（ステップＳ３）。
【００６６】
続いて、通信宛先の宛先名称の入力を受け付ける（ステップＳ４）。より具体的には、表示部１５にユーザに先に入力した通信宛先の名称の入力を促すための所定のメッセージ（「宛先名称を入力してください」とのメッセージ）を表示する。
【００６７】
ユーザがタッチパネル等より、宛先名称を入力したと判断されると、当該入力された情報が、通信宛先登録管理部２３によって受け付けられ、アドレステーブルＡ１において、ステップＳ１で選択されたキー番号の下に格納される（ステップＳ５）。
【００６８】
続いて、操作音の音色の設定を受け付ける（ステップＳ６）。より具体的には、表示部１５に操作音発生部２２において発生可能な音色の一覧が文字表現によってメニュー表示され、そのいずれかの選択をユーザに促すための所定のメッセージ（「操作音を選択してください」とのメッセージ）を表示する。ここで、ユーザが所定のソフトキー操作によってメニュー中の任意の音色を仮選択すると、その音色の操作音が操作音発生部２２からサンプル出力される。ただし、この時の出力音量はデフォルト音量である。これによってユーザは、実際に聴覚で確認しつつ所望の音色を選択することが可能になり、このようにして音色が決定されるとソフトキー操作によってそれを確定する。
【００６９】
ユーザが所望の音色を選択したと判断されると、当該選択された情報が、音色設定受付部２１１によって受け付けられ、アドレステーブルＡ１において、ステップＳ１で選択されたキー番号の下に格納される（ステップＳ７）。
【００７０】
続いて、操作音の音量の設定を受け付ける（ステップＳ８）。より具体的には、表示部１５に音量設定の選択画面が文字表現によってメニュー表示され、そのいずれかの選択をユーザに促すための所定のメッセージ（「操作音の音量を設定してください」とのメッセージ）を表示する。ここで、ユーザがソフトキー操作によってメニュー中の任意の音量を仮選択すると、その音量の操作音が、ステップＳ６，Ｓ７で選択済の音色で操作音発生部２２からサンプル出力される。これによってユーザは、所望の音色と音量との組合せを聴覚で実際に確認しつつ選択することが可能になり、このようにして音色と音量も決定されるとソフトキー操作によってそれを確定する。ここで、音色を先に決定させているのは、物理的には同じ音量であっても、音色によって感覚的な音の大きさが異なることがあるためであり、実際に選択した音色で音量を確認することにより、ユーザの意図に沿った操作音選択が可能になる。
【００７１】
ユーザが音量を設定したと判断されると、当該設定された音量が、音量設定受付部２１２によって受け付けられ、アドレステーブルＡ１において、ステップＳ１で選択されたキー番号の下に格納され（ステップＳ９）、ワンタッチキー１４１に対する登録処理が終了する。
【００７２】
なお、グループキー１４２など他の簡略入力キーに対する登録処理も同様に行われる。
【００７３】
〈１−４．簡略入力キーによる宛先入力によるファックス送信処理〉
次に、ワンタッチキー１４１もしくはグループキー１４２の操作によって宛先入力を行って、ファックス送信処理を実行させる場合の処理動作を図５のフローチャートを参照しながら説明する。なお、ファックス送信ではなく、電話や電子メール送信を行う場合も同様の処理動作が行われる。ただし、特に記載のない場合、以下の動作は制御部１１の制御下で自動に行われる。
【００７４】
はじめに、ワンタッチキー１４１が操作されたか否かが判断され（ステップＳ１１）、続いてグループキー１４２が操作されたか否かが判断される（ステップＳ１２）。
【００７５】
ワンタッチキー１４１もしくはグループキー１４２のいずれかが操作されたと判断された場合、当該操作されたキーについて設定された操作音が操作音発生部２２において発生される（ステップＳ１３）。例えば、アドレステーブルＡ１（図３（ａ））を参照すると、ステップＳ１において、「キー番号０２」のワンタッチキー１４１が操作されたと判断された場合、「音色Ｄ」の操作音が「音量３」で発生される。
【００７６】
続いて、ステップＳ１，もしくはステップＳ２で操作されたキーに登録された通信宛先が読み込まれる（ステップＳ１４）。
【００７７】
続いて、ストップキー１４５が操作されたか否かが判断される（ステップＳ１５）。
【００７８】
ステップＳ１５で、ストップキー１４５が操作されたと判断された場合、ステップＳ１６〜ステップＳ１８の処理を行うことなく処理を終了する。すなわち、ステップＳ１４で読み込まれた通信宛先に対するファックス送信処理が中止される。
【００７９】
ステップＳ１５で、ストップキー１４５が操作されないと判断された場合、続いて、スタートキー１４４が操作されたか否かが判断される（ステップＳ１６）。
【００８０】
ステップＳ１６で、スタートキー１４４が操作されたと判断されない場合、ステップＳ１５の処理に戻る。
【００８１】
ステップＳ１６で、スタートキー１４４が操作されたと判断された場合、原稿載置台（図示省略）に載置された原稿を読み込み（ステップＳ１７）、ステップＳ１４において読み込まれた通信宛先に発呼してファックス送信を実行する（ステップＳ１８）。
【００８２】
〈１−５．効果〉
この実施の形態においては、ワンタッチキー１４１やグループキー１４２等の簡略入力キーのいずれかが操作された際に、当該キーに割り当てられた操作音が発生される。ユーザが所望とは異なるキーを誤って操作した場合、当該キー操作に応じて発生された操作音に違和感を感じることによって、当該誤った入力操作を簡単かつ直感的に検知することができる。この場合、ユーザはスタートキー１４４を操作せずにストップキー１４５を操作することによってファックス送信処理を中止することができる。これによって、誤送信を防止することができる。
【００８３】
また、各簡略入力キー毎にユーザの所望する音色の操作音を割り当てることができる。これによって、操作音の有する識別機能が高まり、ユーザはより簡単に誤操作を検知することができる。
【００８４】
また、各簡略入力キー毎に発生される操作音の音量を設定することができる。特定の所定キー（例えば、特に誤操作を避けたい宛先が登録されたキーや、誤って触れやすい位置に配置されたキー）について他の所定キーよりも大きな音量を設定しておくことによって、特定の所定キーについての誤操作を確実に検知することができる。
【００８５】
〈１−６．変形例〉
上記の実施の形態においては、簡略入力キーのそれぞれについて所定の音（操作音）を割り当てていたが、簡略入力キーではなく、通信宛先のそれぞれについて所定の音（以下において「入力音」という）を割り当てる構成としてもよい。すなわち、入力方式に関係なく、特定の通信宛先を入力した際（より具体的には、通信宛先を特定する一連の数字列の指定が完了した際）には所定の入力音が発生する構成としてもよい。なお、この場合であっても、入力音の設定は上記の実施の形態における操作音の設定と同様に行われ、また、入力音の設定情報も上記の実施の形態における操作音の設定情報と同様、アドレステーブルにおいて管理される。
【００８６】
この変形例において、ファックス送信処理を実行させる場合の処理動作を図６のフローチャートを参照しながら説明する。なお、ファックス送信ではなく、電話や電子メール送信を行う場合も同様の処理動作が行われる。ただし、特に記載のない場合、以下の動作は制御部１１の制御下で自動に行われる。
【００８７】
はじめに、通信宛先が入力されたか否かが判断される（ステップＳ２１）。
【００８８】
通信宛先が入力されたと判断された場合、当該入力された通信宛先について設定された入力音が操作音発生部２２において発生される（ステップＳ２２）。ただし、ここでは、ステップＳ２１において通信宛先が入力される際の入力方式はいかなるものであってもよい。例えば、アドレステーブルＡ１（図３（ａ））を参照すると、ステップＳ１において、「キー番号０２」のワンタッチキー１４１が操作されたと判断された場合、もしくは、テンキー１４６から直接「Ｂ商事」の通信宛先「０６−××××−××××」が入力された場合、さらには、チェーンダイヤル方式等によって通信宛先が入力された場合等、「Ｂ商事」のダイヤル番号がいずれの入力方式によって入力されても、入力された通信宛先が確定した時点で、「音色Ｄ」の操作音が「音量３」で発生される。
【００８９】
以下のステップＳ２３〜ステップＳ２７の各処理については図５のステップＳ１４〜ステップＳ１８の各処理と同様である。
【００９０】
この変形例においては、通信宛先が入力された際に、当該入力された通信宛先に割り当てられた入力音が発生される。ユーザが所望とは異なる通信宛先を誤って操作した場合、当該入力操作に応じて発生された入力音に違和感を感じることによって、当該誤った入力を簡単かつ直感的に検知することができる。また、通常発生されるべき入力音が発生されないことによって、誤入力を検知することも可能である。この場合、ユーザはスタートキー１４４を操作せずにストップキー１４５を操作することによってファックス送信処理を中止することができる。これによって、誤送信を防止することができる。
【図面の簡単な説明】
【００９１】
【図１】この実施の形態に係るデジタル複合機の構成を示すブロック図である。
【図２】操作部および表示部の構成例を示す図である。
【図３】アドレステーブルの構成例を示す図である。
【図４】ワンタッチキーに対する情報の登録処理を示すフローチャートである。
【図５】ファックス送信処理を実行する際の処理動作を示すフローチャートである。
【図６】ファックス送信処理を実行する際の処理動作を示すフローチャートである。
【符号の説明】
【００９２】
１  デジタル複合機
２１  操作音設定管理部
２２  操作音発生部
２３  通信宛先登録管理部
２４  アドレステーブル管理部
１４１  ワンタッチキー
１４２  グループキー
１４３  短縮キー
１４４  スタートキー
１４５  ストップキー
【図１】
2007208787.tif 000003
【図２】
2007208787.tif 000004
【図３】
2007208787.tif 000005
【図４】
2007208787.tif 000006
【図５】
2007208787.tif 000007
【図６】
2007208787.tif 000008